【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
ａ）基材上に透明高分子層と表面プラズモンを含む光学的活性を有する伝導性ネットワークが順に積層された積層体を製造するステップと、
ｂ）前記積層体に光エネルギーまたは熱と光エネルギーを印加して、前記伝導性ネットワークを透明高分子層に沈降させる（sink）ステップと、を含む、透明導電体の製造方法。
【請求項２】
熱と光エネルギーの印加は、同時または順次印加である、請求項１に記載の透明導電体の製造方法。
【請求項３】
ｂ）ステップは、透明高分子層のガラス転移温度未満の温度に前記透明高分子層が加熱されるように熱エネルギーを印加し、光を照射する、請求項１に記載の透明導電体の製造方法。
【請求項４】
ｂ）ステップは、前記透明高分子層のガラス転移温度未満の温度に前記透明高分子層が加熱されるようにすると同時に、光を照射する、請求項１に記載の透明導電体の製造方法。
【請求項５】
伝導性ネットワークは、伝導性ナノワイヤ、伝導性ナノチューブおよび伝導性ナノベルトから選択される一つまたは二つ以上のナノ単位体のネットワークである、請求項１〜４のいずれか１項に記載の透明導電体の製造方法。
【請求項６】
伝導性ネットワークは、銀ナノワイヤ、銀ナノベルト、カーボンナノチューブ、カーボンナノワイヤおよびカーボンナノベルトから選択される一つまたは二つ以上のナノ単位体のネットワークである、請求項１〜５のいずれか１項に記載の透明導電体の製造方法。
【請求項７】
伝導性ネットワークは、ナノ単位体が互いに物理的に結着した多孔性構造体または前記ナノ単位体が互いに接触したり絡み合って形成される多孔性構造体である、請求項１に記載の透明導電体の製造方法。
【請求項８】
透明高分子層の透明高分子のガラス転移温度は、８０〜１４０℃である、請求項１〜７のいずれか１項に記載の透明導電体の製造方法。
【請求項９】
透明高分子層の透明高分子は、ポリエステル（polyester）、ポリエチレンテレフタレート（polyethylene terephthalate）（PET）、アクリレート（acrylate）（AC）、ポリブチレンテレフタレート（polybutylene terephthalate）、ポリメチルメタクリレート（polymethyl methacrylate）（PMMA）、アクリル樹脂（acrylic resin）、ポリカーボネート（polycarbonate）（PC）、ポリスチレン（polystyrene）、トリアセテート（triacetate）（TAC）、ポリビニルアルコール（polyvinyl alcohol）、ポリ塩化ビニル（polyvinyl chloride）、ポリ塩化ビニリデン（polyvinylidene chloride）、ポリエチレン（polyethylene）、エチレン‐ビニルアセテートコポリマー（ethylenevinylacetate copolymer）、ポリビニルブチラール（polyvinyl butyral）、金属イオン架橋されたエチレン‐メタクリル酸コポリマー（metal ion‐crosslinked ethylene‐methacrylic acid copolymer）、ポリウレタン（polyurethane）、セロハン（cellophane）およびポリオレフィン（polyolefin）から選択される一つ、または二つ以上の混合物である、請求項１〜８のいずれか１項に記載の透明導電体の製造方法。
【請求項１０】
ａ）ステップは、
ａ１）透明高分子または透明高分子の重合単位体を含有する第１溶液を基材上に塗布して塗布膜を形成するステップと、
ａ２）前記塗布膜を乾燥するステップと、を含む、請求項１〜９のいずれか１項に記載の透明導電体の製造方法。
【請求項１１】
ａ２）ステップの後、またはａ２）ステップと同時に、塗布膜の透明高分子または透明高分子の重合単位体を重合するステップがさらに行われる、請求項１０に記載の透明導電体の製造方法。
【請求項１２】
透明高分子層は、パターン化または非パターン化されている、請求項１〜１１のいずれか１項に記載の透明導電体の製造方法。
【請求項１３】
ａ）ステップは、
ａ３）前記透明高分子層が形成された基材の前記透明高分子層の表面に、伝導性ナノワイヤ、伝導性ナノチューブおよび伝導性ナノベルトから選択される一つまたは二つ以上のナノ単位体が分散媒に分散された分散液を塗布するステップを含む、請求項１〜１２のいずれか１項に記載の透明導電体の製造方法。
【請求項１４】
分散液は、有機バインダーをさらに含有する、請求項１３に記載の透明導電体の製造方法。
【請求項１５】
有機バインダーは、分子量が５×１０５以下の天然または合成ポリマーである、請求項１４に記載の透明導電体の製造方法。
【請求項１６】
有機バインダーは、グリコーゲン、アミロース、アミロペクチン、カロース、カンテン、アルギン、アルジネート、ペクチン、カラギーナン、セルロース、キチン、キトサン、カードラン、デキストラン、フルクタン（fructane）、コラーゲン、ゲランガム（gellan gum）、アラビアガム、デンプン、キサンタン、タラカントガム（gum tragacanth）、カラヤン（carayan）、カラビン（carabean）、グルコマンナンまたはこれらの組み合わせを含む多糖類；セルロースエステルまたはセルロースエーテルを含む多糖類誘導体；ポリエチレングリコール（PEG）；ポリビニルピロリドン（PVP）；およびポリビニルアルコール（PVA）からなる群から選択される一つまたは二つ以上である、請求項１４又は１５に記載の透明導電体の製造方法。
【請求項１７】
ａ３）ステップの後、分散液が塗布された塗布膜に赤外線（IR）を含む光を照射して乾燥するステップをさらに含む、請求項１３〜１６のいずれか１項に記載の透明導電体の製造方法。
【請求項１８】
前記光エネルギーの光は白色光を含み、白色光は、前記伝導性ネットワークの紫外線‐可視光線分光スペクトルでの吸光ピークに相当する波長の光を含む、請求項１に記載の透明導電体の製造方法。
【請求項１９】
透明高分子層の表面に塗布されたナノ単位体のネットワークである伝導性ネットワークに第１紫外線（UV）を含む第１光を照射する第１光照射ステップと、
前記第１紫外線が照射された伝導性ネットワークにパルス型第１白色光を含む第２光を照射する第２光照射ステップと、を含む、請求項１に記載の透明導電体の製造方法。
【請求項２０】
第２光は、第２紫外線、第２赤外線または第２紫外線と第２赤外線をさらに含む、請求項１９に記載の透明導電体の製造方法。
【請求項２１】
第１光は、パルス型第２白色光をさらに含む、請求項１９又は２０に記載の透明導電体の製造方法。
【請求項２２】
第２光照射ステップにおいて、ｂ）ステップが行われる、請求項１９〜２１のいずれか１項に記載の透明導電体の製造方法。
【請求項２３】
第１白色光および第２白色光は、それぞれナノ単位体の紫外線‐可視光線分光スペクトルでのナノ単位体の光吸光ピークに相当する波長の光を含む、請求項２１に記載の透明導電体の製造方法。
【請求項２４】
前記光エネルギーの光は、赤外線を含む光、白色光を含む光、または赤外線と白色光を含む光である、請求項１に記載の透明導電体の製造方法。